(57)【特許請求の範囲】
【請求項１】
定盤上に載置される印刷版に対して、当該定盤の上方において前記印刷版の先端部を受け止める迎えガイドと、
前記印刷版の先端部の移動に合わせて前記迎えガイドを移動させると共に、前記印刷版の搬送が完了する直前に、前記迎えガイドを前記印刷版の搬送方向前方へ逃がすことで、前記印刷版を前記定盤上に載置するガイド駆動手段と、
を有することを特徴とする印刷版供給における迎えガイド機構。
【請求項２】
前記印刷版の搬送が完了する直前に、前記迎えガイドの移動速度が前記印刷版の搬送速度よりも早くなることを特徴とする請求項１に記載の印刷版供給における迎えガイド機構。
【請求項３】
前記迎えガイドが、前記印刷版を前記定盤上から排出するための排出手段に設けられていることを特徴とする請求項１又は請求項２に記載の印刷版供給における迎えガイド機構。
【発明の詳細な説明】
【０００１】
【発明の属する技術分野】
本発明は、露光ステージ等の定盤上に供給される印刷版の先端部を受け止めるための印刷版供給における迎えガイド機構に関する。
【０００２】
【従来の技術及び発明が解決しようとする課題】
支持体上に記録層が設けられた印刷版（例えば、ＰＳ版、サーマルプレート版、フォトポリマー版等）を用い、この印刷版の光重合層に直接レーザビーム等で画像を記録する技術が開発されてきている（印刷版自動露光装置）。
【０００３】
このような技術では、印刷版への画像記録が迅速に行われるため、次々と印刷版を送り込む必要があり、予め複数の印刷版を積層した状態で所定の位置に待機させ、自動的に１枚ずつ取り出して、定盤上に位置決めし、露光部へ送り込むようにしている。
【０００４】
ここで、定盤上へ印刷版を載置する場合、従来は、図１１（Ａ）〜図１１（Ｃ）に示される如く、定盤３００の近傍に配設されたローラ３０２で印刷版３０４をニップして定盤３００上の所定の位置まで搬送している。
【０００５】
しかしながら、上記従来の位置決め方法では、図１１（Ａ）に示される如く、印刷版３０４の先端３０４Ａが定盤３００上に直接落下し、その後、図１１（Ｂ）に示される如く、印刷版３０４の先端３０４Ａが定盤３００上を摺動して、図１１（Ｃ）に示される如く、印刷版３０４の先端３０４Ａが定盤３００上の所定位置に到達する。この結果、定盤３００の上面が摩耗したり定盤３００の上面に傷が発生したりすると共に、これら傷等により、印刷版３０４の裏面が傷つくことも懸念される。
【０００６】
本発明は上記事実を考慮し、定盤の摩耗及び傷を防止できると共に印刷版裏面の傷も防止できる印刷版供給における迎えガイド機構を得ることが目的である。
【０００７】
【課題を解決するための手段】
請求項１に記載の本発明の印刷版供給における迎えガイド機構は、定盤上に載置される印刷版に対して、当該定盤の上方において前記印刷版の先端部を受け止める迎えガイドと、
前記印刷版の先端部の移動に合わせて前記迎えガイドを移動させると共に、前記印刷版の搬送が完了する直前に、前記迎えガイドを前記印刷版の搬送方向前方へ逃がすことで、前記印刷版を前記定盤上に載置するガイド駆動手段と、
を有することを特徴としている。
【０００８】
請求項１に記載の発明によれば、印刷版が定盤上に搬送されて来ると、定盤の上方において、迎えガイドが印刷版の先端部を受け止める。また、迎えガイドは、ガイド駆動手段により、印刷版の先端部の移動に合わせて移動すると共に、印刷版の搬送が完了する直前に、印刷版の搬送方向前方へ逃げる。この結果、従来構造のように、印刷版の先端が定盤上に直接落下し、その後、定盤上を摺動することがないため、定盤の上面が摩耗したり定盤の上面に傷が発生することがないので、定盤の摩耗及び傷を防止できると共に印刷版裏面の傷も防止できる。
【０００９】
請求項２に記載の発明は、請求項１に記載の印刷版供給における迎えガイド機構において、前記印刷版の搬送が完了する直前に、前記迎えガイドの移動速度が前記印刷版の搬送速度よりも早くなることを特徴としている。
【００１０】
請求項２に記載の発明によれば、請求項１に記載の内容に加えて、前記印刷版の搬送が完了する直前に、迎えガイドの移動速度を印刷版の搬送速度よりも早くすることで、両者の相対移動により、印刷版の搬送が完了する直前に、迎えガイドを印刷版の搬送方向前方へ確実に逃がすことができる。このため、印刷版を確実に定盤上に着地させることができる。
【００１１】
請求項３に記載の発明は、請求項１又は請求項２に記載の印刷版供給における迎えガイド機構において、前記迎えガイドが、前記印刷版を前記定盤上から排出するための排出手段に設けられていることを特徴としている。
【００１２】
請求項３に記載の発明によれば、請求項１又は請求項２に記載の内容に加えて、印刷版を定盤上から排出するための排出手段に迎えガイドを設けることによって、迎えガイドの支持部材及びガイド駆動手段を、排出手段の支持部材及び駆動手段と共用できるため、部品点数を低減できる。
【００１３】
【発明の実施の形態】
（全体構成）
図１には、本実施の形態に係る印刷版供給における迎えガイド機構を備えたフォトポリマー版の自動露光装置１００が示されている。
【００１４】
自動露光装置１００は、台車２００に搭載されたフォトポリマー版１０２（図２参照）を収容する版収容部１０４及び版収容部１０４に収容されたフォトポリマー版１０２を持ち出する枚葉部１０６を備えた給版部１０８と、フォトポリマー版１０２が位置決め保持される定盤１１０と、定盤１１０に位置決めされたフォトポリマー版１０２へ画像を記録する露光部１１２と、で構成されている。
【００１５】
なお、この自動露光装置１００の下流側には、バッファ部１１４を介して自動現像装置１１６が設定可能であり、給版、露光、現像を全て自動で処理することも可能となっている。
【００１６】
図３に示される如く、版収容部１０４には、複数枚のフォトポリマー版１０２が立てかけられ台車２００が収容可能となっている。なお、図２に示される如く、フォトポリマー版１０２の表面には、１枚毎に保護用の合紙１１８が設けられており、結果としてフォトポリマー版１０２と合紙１１８とが交互に積層された状態となっている。
【００１７】
版収容部１０４は、路面よりも高い位置に床部１０４Ａを形成しており、台車２００は、路面からこの床部１０４Ａへと乗り上げられる構造となっている。すなわち、路面に対してはキャスタ１２０を介して支持されており、このキャスタ１２０は、台車２００に対して突出位置（図３の想像線位置）及び収容位置（図３の突出位置）に移動可能となっている。
【００１８】
版収容部１０４への収容動作に応じてこのキャスタ１２０が上方にたたまれるように収容位置へ移動すると同時に補助ローラ１２２が床部１０４Ａに対応し、その後の台車２００は、床部１０４Ａに対してこの補助ローラ１２２を介して支持される構造となっている。
【００１９】
前記版収容部１０４の上方には、枚葉部１０６が設けられている。枚葉部１０６は、フォトポリマー版１０２及び合紙１１８を交互に積層状態から取り出して、給版部１０８へ送り出すようになっており、フォトポリマー版１０２及び合紙１１８を吸着する吸盤１２４を備えている。また、吸盤１２４の近傍には、吸盤１２４とは別に、合紙１１８を吸着する際の補助手段として、吸引ファン１２６が設けられている。これらの吸盤１２４及び吸引ファン１２６は一体的に積層された合紙１１８又はフォトポリマー版１０２面に対して接近、離反することが可能となっている。
【００２０】
ここで、フォトポリマー版１０２の吸着時は吸盤１２４を接触させて吸着するが、合紙１１８の吸着時には吸引ファン１２６を合紙１１８に対して若干離れた位置（接触してもよい）に配置し、吸引ファン１２６のみを作動することによって重量的に軽くかつ薄い合紙１１８のみを吸い上げ、その後、吸盤１２４によって吸着することで、合紙１１８の吸着時の二重吸着（下層のフォトポリマー版１０２をいっしょに吸着すること）を防止している。
【００２１】
給版部１０８は、大きく分けて、前記枚葉部１０６からフォトポリマー版１０２又は合紙１１８を受け取って搬送する共用搬送部１２８と、フォトポリマー版１０２を受けとって定盤１１０へ送り出すためのフォトポリマー版搬送部１３０と、合紙１１８を受けとって合紙収容箱（台車２００に搭載されている）１３２へ送り出す合紙搬送部１３４と、前記共用搬送部１２８から前記フォトポリマー版搬送部１３０又は合紙搬送部１３４の何れかへの搬送部へ切替え動作によって案内する切替搬送部１３６と、構成されている。
【００２２】
すなわち、フォトポリマー版１０２と合紙１１８とが交互に積層されているため、枚葉部１０６において吸着する毎に、切替搬送部１３６が切替わり、それぞれの所定方向へ搬送する構造となっている。
【００２３】
ここで、図４（Ａ）に示される如く、共用搬送部１２８、フォトポリマー版搬送部１３０及び切替搬送部１３６は、串型ローラ１３８と細幅ベルト１４０とが組み合わされた搬送系となっており、上記フォトポリマー版１０２を搬送することがメインとされている（図４（Ｂ）参照）。すなわち、フォトポリマー版１０２は、串型ローラ１３８の強い挟持力で搬送され、細幅ベルト１４０は、搬送に同期して移動するガイド板としての役目を有する。
【００２４】
これに対して、合紙搬送部１３４は、図４（Ｃ）に示される如く、細幅ベルト１４０のみの搬送系となっており、合紙１１８を細幅ベルト１４０による弱い挟持力で搬送する構造となっている。
【００２５】
ここで、図５に示される如く、各搬送部での受け渡し部分は、それぞれ互い違いに先端部が串状に突出され、一方の凹又は凸の先端が他方の凸又は凹の先端に対向するように重なり合っている（同軸の共通の搬送路を持っている）。これにより、フォトポリマー版１０２及び合紙１１８の受け渡し時に、串型ローラ１３８や細幅ベルト１４０に巻き込まれるようなことが防止される。
【００２６】
図３に示される如く、合紙搬送部１３４によって搬送される合紙１１８は、台車２００に設けられた合紙収容箱１３２へ案内される。合紙収容箱１３２の上部に設けられた合紙１１８の挿入口１４２は、一対のローラ１４４が設けられており、前記合紙搬送部１３４の搬送速度よりも若干速い線速度（約１．１倍）で回転駆動している。これにより、合紙１１８が合紙搬送部１３４とこのローラ１４４との間に掛け渡されると、所定の緊張状態を維持しながら搬送されることになり、弛み等によるジャミングを防止することができる。
【００２７】
また、この挿入口１４２の手前側には、徐々に幅（合紙１１８の肉厚方向）が狭まるようなテーパー形状のガイド板１４６が設けられている。このテーパー形状とされた互いに対向するガイド板１４６には、除電ブラシ１４８がそれぞれ取り付けられ、挿入口１４２に挿入する合紙１１８の電荷を除去するようになっている。
【００２８】
前記一対のローラ１４４は串型とされ、この串型による凹凸に沿うように仕切板１５０が設けられている。これにより、合紙収容部１３４に収容された後の合紙１１８の一部がローラ１４４に接触しても、仕切板１５０によって巻き込みを防止することができる。
【００２９】
図６に示される如く、フォトポリマー版搬送部１３０によって搬送されるフォトポリマー版１０２は、水平搬送状態でフォトポリマー版搬送部１３０から離脱し、定盤１１０へ受け渡すようになっている。
【００３０】
ここで、定盤１１０の上面高さは、フォトポリマー版搬送部１３０による水平搬送高さよりも低い位置となっており、かつ搬送方向において若干の間隔を持っている。
【００３１】
図１に示される如く、定盤１１０におけるフォトポリマー版搬送部１３０から離れた側の端部近傍には、排出手段としての排出機構部１６６が待機しており、この排出機構部１６６は図示を省略したモータ等の駆動手段により、定盤１１０の上方を通過して定盤１１０におけるフォトポリマー版搬送部１３０に近い側の端部近傍へ移動できるようになっている。
【００３２】
図７（Ａ）に示される如く、排出機構部１６４の上部には、迎えガイド機構の一部としての迎えガイド１６７が、ブラケット１６７Ａを介して取付けられている。また、迎えガイド１６７の平板部１６７Ｂにおけるフォトポリマー版搬送部１３０側の端部には、斜め下方へ向けて傾斜部１６７Ｃが形成されており、傾斜部１６７Ｃの下端部には下方へ向けてフランジ１６７Ｄが形成されている。
【００３３】
このため、図１０（Ｃ）に示される如く、フォトポリマー版１０２は、フォトポリマー版搬送部１３０から排出されると、若干垂れ下がった状態で、先端部１０２Ａが迎えガイド１６７の平板部１６７Ｂに当接する。
【００３４】
その後、迎えガイド１６７は、迎えガイド機構の一部としてのガイド駆動手段（図示省略）により、フォトポリマー版１０２の先端部１０２Ａの移動に合わせて移動する。なお、ガイド駆動手段は排出機構部１６６の駆動手段を兼ねており、迎えガイド１６７を、フォトポリマー版１０２の搬送速度と同じ速さで移動するようになっている。
【００３５】
その後、図１０（Ｄ）に示される如く、フォトポリマー版１０２の搬送が完了する直前に、フォトポリマー版１０２の搬送速度のみが減速されるため、迎えガイド１６７は、フォトポリマー版１０２の搬送方向前方へ逃げる。
【００３６】
この結果、図１０（Ｄ）に二点鎖線で示すように、フォトポリマー版１０２は、定盤１１０上に着地し、搬送方向後端部は、定盤１１０よりも手前側に位置することになる。この手前側には、定盤１１０に対して接近離反可能な移動体１５２に設けられた仮支持プレート１５４が配設されており、フォトポリマー版１０２の垂れ下がりを防止している。
【００３７】
また、図６及び図９に示される如く、定盤１１０には、フォトポリマー版１０２を仮保持するための十字型の吸引溝１１０Ｂが形成されている。この吸引溝１１０Ｂからは図示しない真空ポンプ等の駆動によってエアが吸引されるようになっており、この吸引溝１１０Ｂ上にフォトポリマー版１０２が存在する場合、フォトポリマー版１０２を一点保持することになる。
【００３８】
定盤１１０の一辺側には、フォトポリマー版１０２を位置決めしたり、パンチ加工したりするための処理部であるパンチステージ(詳細後述）が配置されている。
【００３９】
前記パンチステージの一部には、フォトポリマー版１０２の後端部を搬送方向に押圧する押圧プレート１５６が設けられ、この押圧プレート１５６によってフォトポリマー版１０２の後端部を押圧することで、フォトポリマー版１０２の傾斜誤差（図９（Ｂ），（Ｃ）の角度θ）が解消されると共に、所定の搬送方向基準位置まで送り出すことができる。この基準位置は、フォトポリマー版１０２の搬送方向後端部が若干定盤１１０からはみ出した状態である。図９では、前記押圧プレート１５６の押圧方向前端部側は、前記押圧プレート１５６の幅方向に直線状になっている。なお、前記押圧方向前端部側が前記幅方向に直線状でなく、押圧プレートの中央に凹部を設けて幅方向両端部のみでフォトポリマー版１０２を押圧するような構造であってもよい。
【００４０】
この場合、フォトポリマー版１０２は、吸引溝１１０Ｂによって一点保持されているため、前記押圧方向に対して抵抗力を持つことになる。このため、前記押圧プレート１５６による押圧で、フォトポリマー版１０２は、吸引溝１１０Ｂによる保持点を中心とする回転のみとなり、ほとんどその場で傾斜誤差分を整合することができるようになっている。
【００４１】
定盤１１０に対する傾斜誤差分が整合されると、引き続き押圧プレート１５６によってさらに押圧が継続されることで、フォトポリマー版１０２のＸ方向（後述する露光時の主走査方向）の位置決めを行う。
【００４２】
この位置決めは、押圧プレート１５６の押圧量の制御によって行われ、傾斜誤差の整合が適正に行われたことの確認が、フォトポリマー版１０２の搬送方向後端部両角部を含む複数の位置に設けられたセンサ１５８によって行われる。図９では、２個のセンサ１５８のみを示してあるが、４個の場合もある。また、このセンサ１５８はフォトポリマー版１０２のＹ方向（露光時の副走査方向）の位置検出にも適用されている。すなわち、定盤１１０がＹ方向に移動することで、フォトポリマー版１０２の角部とセンサ１５８とを一致させ、これをフォトポリマー版１０２の初期位置として登録するようになっている。
【００４３】
また、初期位置に移動されたフォトポリマー版１０２の位置は、露光部１１２での走査露光開始位置と相対位置が決められており、この状態で定盤１１０に設けられた吸引溝１１０Ａにより吸着保持される。
【００４４】
吸着保持されたフォトポリマー版１０２には、前記移動体１５２に設けられたパンチステージ上に設置されているパンチャー１６０によりパンチ孔が設けられる。
【００４５】
一方、定盤１１０は、フォトポリマー版搬送部１３０からのフォトポリマー版１０２を受け取る第１の位置（図１の実線位置参照）と、露光部１１２に収容される第２の位置（図１の想像線位置参照）との間を等速度で往復移動可能（位置決めのための搬送幅方向移動と共通）となっている。
【００４６】
露光部１１２には、前記定盤１１０の搬送路よりも上方に走査ユニット１６４が設けられ、画像信号に応じて点灯制御されるレーザビームが主走査（定盤１１０の搬送方向と直交する方向）される構成となっている。一方、定盤１１０の往路搬送は副走査移動となり、この結果、定盤１１０上のフォトポリマー版１０２には、露光部１１２への往路搬送時に画像が記録され、復路搬送によって、元の位置に戻されることになる。なお、元の位置に戻った定盤１１０上のフォトポリマー版１０２は、吸着保持が解除される。
【００４７】
画像が記録され、元の位置に戻った定盤１１０に対応し、フォトポリマー版搬送部１３０によるフォトポリマー版１０２の搬送方向後端部側に待機していた排出機構部１６６が定盤１１０の上方を通過してフォトポリマー版１０２の搬送方向前端部へと移動する。
【００４８】
図７（Ａ）に示される如く、排出機構部１６４の下側には、フォトポリマー版１０２の搬送方向後端部を載置するフック部１６６Ａが形成されている。
【００４９】
図７（Ｂ）に示される如く、前記定盤１１０からはみ出したフォトポリマー版１０２の後端部を移動体１５２（図１参照）に設けられた仮支持プレート１５４により持ち上げ、かつ図７（Ｃ）に示される如く、排出機構部１６６をフォトポリマー版１０２の搬送方向へ移動させることにより、フォトポリマー版１０２は、フック部１６６Ａに引っ掛けられて排出機構部１６６の移動に伴って、定盤１１０の下流側へ搬送されていく。
【００５０】
この下流側には、バッファ部１１４が設けられ、さらに自動現像装置１１６が設けられており、フォトポリマー版１０２は、排出機構部１６６による排出速度と自動現像装置１１６での搬送速度との差をバッファ部１１４で吸収されながら円滑に送り出されていく。
（台車２００の詳細構成）
図１には、台車２００が示されている。台車２００は、４個のキャスタ１２０（図８では２個のみを図示）を介して路面ＦＬに支持される荷台２０２には、ハンドル２０４（図１参照）が取り付けられている。ハンドル２０４は、一端部に略コ字型に屈曲されており、その両端が前記荷台２０２に突き当てられ固定されている。
【００５１】
荷台２０２には、フォトポリマー版１０２を重ねて保持する集積部２０６が設けられている。この集積部２０６は、側面から見て略直角三角形状とされ、その斜面部にフォトポリマー版１０２を収容するマガジン２０８が立てかけられている。
【００５２】
マガジン２０８には、予め数１０枚（通常は６０枚、１００枚まで可能）のフォトポリマー版１０２が積層されている。また、マガジン２０８には、シャッター２１０が設けられており、暗室以外においてこのシャッター２１０を閉状態としておくことにより、フォトポリマー版１０２の感光を防止している。
【００５３】
すなわち、台車２００は、前記版収容部１０４と、フォトポリマー版１０２を保管している暗室との間で運搬されるものであり、シャッター２１０は、運搬中におけるフォトポリマー版１０２を保護することができる。
【００５４】
台車２００は、前記ハンドル２０４の取り付け側が運搬時の後方向きとされ、前記版収容部１０４に収容される。
【００５５】
以下に本実施形態の作用を説明する。
【００５６】
本実施形態の印刷版供給における迎えガイド機構では、給版部１０８から定盤１１０へフォトポリマー版１０２を受け渡す際、図１０（Ａ）に示される如く、フォトポリマー版搬送部１３０の出口に設けたニップローラ１３０Ａの搬送方向上流側近傍に設けたセンサ１３０Ｂが、フォトポリマー版１０２を検出すると、ガイド駆動動手段により、迎えガイド１６７が、定盤１１０の一方の端部に設定された図１０（Ａ）に示される待機位置から、フォトポリマー版搬送部１３０の方向（図の矢印Ａ方向）へ移動する。
【００５７】
その後、図１０（Ｂ）に示される如く、迎えガイド１６７は、定盤１１０におけるフォトポリマー版搬送部１３０側の端部上方に設定されたスタート位置に停止する。
【００５８】
次に、図１０（Ｃ）に示される如く、センサ１３０Ｂがフォトポリマー版１０２を検出後、所定時間経過すると、迎えガイド１６７は、フォトポリマー版１０２の搬送速度と同速でスタート位置から待機位置方向（矢印Ｂ方向）へ移動を開始する。
【００５９】
この結果、迎えガイド１６７が矢印Ｂ方向へ所定量移動した時点（受け位置）で、フォトポリマー版１０２の先端部１０２Ａが、迎えガイド１６７の平板部１６７Ｂに当接する。即ち、ポリマー版１０２の先端部１０２Ａを迎えガイド１６７の平板部１６７Ｂで受け止める。
【００６０】
その後、図１０（Ｄ）に示される如く、フォトポリマー版１０２の搬送が完了する直前に、フォトポリマー版１０２の搬送速度のみが減速されるため、迎えガイド１６７の移動速度がフォトポリマー版１０２の搬送速度よりも早くなり、迎えガイド１６７は、フォトポリマー版１０２の搬送方向前方へ逃げる。
【００６１】
この結果、図１０（Ｄ）に二点鎖線で示すように、フォトポリマー版１０２は、定盤１１０上に着地する。
【００６２】
従って、本実施形態では、従来構造のように、フォトポリマー版の先端が定盤上に直接落下し、その後、定盤上を摺動することがないため、定盤１１０の上面が摩耗したり定盤１１０の上面に傷が発生することがない。この結果、定盤１１０の摩耗及び傷を防止できると共にフォトポリマー版１０２の傷も防止できる。
【００６３】
また、本実施形態では、フォトポリマー版１０２の搬送が完了する直前に、迎えガイド１６７の移動速度をフォトポリマー版１０２の搬送速度よりも早くすることで、両者の相対移動により、フォトポリマー版１０２の搬送が完了する直前に、迎えガイド１６７をフォトポリマー版１０２の搬送方向前方へ確実に逃がすことができる。このため、フォトポリマー版１２を確実に定盤１１０上に着地させることができる。
【００６４】
また、本実施形態では、迎えガイド１６７を排出機構部１６６に設けることによって、迎えガイド１６７の支持部材及びガイド駆動手段を、排出機構部１６６の支持部材及び駆動手段と共用できるため、部品点数を低減できる。
【００６５】
以上に於いては、本発明を特定の実施形態について詳細に説明したが、本発明はかかる実施形態に限定されるものではなく、本発明の範囲内にて他の種々の実施形態が可能であることは当業者にとって明らかである。例えば、上記実施形態では、フォトポリマー版１０２の搬送が完了する直前に、フォトポリマー版１０２の搬送速度を下げることで、迎えガイド１６７の移動速度をフォトポリマー版１０２の搬送速度よりも早くしたが、これに代えて、フォトポリマー版１０２の搬送が完了する直前に、迎えガイド１６７の移動速度を上げることで、迎えガイド１６７の移動速度をフォトポリマー版１０２の搬送速度をよりも早くしても良い。
【００６６】
更に、迎えガイド１６７の移動速度をフォトポリマー版１０２の搬送速度より若干早い一定速度に設定し、フォトポリマー版１０２の先端部１０２Ａが、移動中の迎えガイド１６７の平板部１６７Ｂ上を摺動し、フォトポリマー版１０２の搬送が完了する直前に、フォトポリマー版１０２の先端部１０２Ａが、迎えガイド１６７の平板部１６７Ｂ上から落下するようにしても良い。
【００６７】
また、本実施形態では、迎えガイド１６７を排出機構部１６６に設けたが、迎えガイド１６７と排出機構部１６６とをそれぞれ別々に設けても良い。
【００６８】
【発明の効果】
以上説明した如く本発明に係る印刷版供給における迎えガイド機構は、定盤の摩耗及び傷を防止できると共に印刷版裏面の傷も防止できるという優れた効果を有する。また、印刷版の搬送が完了する直前に、迎えガイドを印刷版の搬送方向前方へ確実に逃がすことができ、印刷版が定盤上を摺動して摩擦により静電気が生じ、帯電による貼り付きが生じて、印刷版の搬送が不可能になることもなく、確実に印刷版を定盤上に搬送して載置することができるという優れた効果を有する。更に、部品点数を低減できるという優れた効果を有する。
【図面の簡単な説明】
【図１】本実施の形態に係る印刷版供給における迎えガイド機構を備えた自動露光装置の全体構成を示す斜視図である。
【図２】マガジンに積載されたフォトポリマー版及び合紙の状態を示す側面図である。
【図３】給版部の側面図である。
【図４】（Ａ）は給版部の搬送系の一部を示す平面図であり、（Ｂ）は給版部の搬送系の一部を示す断面図であり、（Ｃ）は給版部の搬送系の一部を示す断面図である。
【図５】給版部の異なる搬送系の受け渡し部を示す斜視図である。
【図６】（Ａ）は定盤の平面図、（Ｂ）は定盤の側面図である。
【図７】排出機構部の動作を示す側面図であり、（Ａ）は動作開始初期、（Ｂ）はフォトポリマー版の持ち上げ状態、（Ｃ）は排出時である。
【図８】台車の下部の拡大側面図である。
【図９】（Ａ）は定盤及び定盤上での位置決めを行うための移動体の斜視図、（Ｂ）は定盤上に斜めに載置されたフォトポリマー版を示す平面図、（Ｃ）は図９（Ｂ）の傾斜誤差を整合した後の平面図である。
【図１０】迎えガイド機構の動作を示す側面図であり、（Ａ）は待機位置、（Ｂ）はスタート位置、（Ｃ）は受け位置、（Ｄ）は逃げ位置である。
【図１１】従来構造における印刷版の定盤上への搬送動作を示す側面図であり、（Ａ）は搬送開始直後、（Ｂ）は搬送中間時、（Ｃ）は搬送終了直前である。
【符号の説明】
１００    自動露光装置
１０２    フォトポリマー版（印刷版）
１１０    定盤
１３０    フォトポリマー版搬送部
１６６    排出機構部（排出手段）
１６７    迎えガイド機構
【図１】
0004420552.tif 000002
【図２】
0004420552.tif 000003
【図３】
0004420552.tif 000004
【図４】
0004420552.tif 000005
【図５】
0004420552.tif 000006
【図６】
0004420552.tif 000007
【図７】
0004420552.tif 000008
【図８】
0004420552.tif 000009
【図９】
0004420552.tif 000010
【図１０】
0004420552.tif 000011
【図１１】
0004420552.tif 000012